(57)【特許請求の範囲】
【請求項１】
上下方向に並ぶ複数の排紙トレイを有していて画像形成装置本体の側面に取付けられるマルチトレイ装置と、該画像形成装置本体の上側に配置され、該画像形成装置本体より排出される用紙を上記マルチトレイ装置へと搬送する中継装置とを備えた画像形成装置であって、
上記マルチトレイ装置は、上下方向に延びる軸線回りに回動可能に構成されて該マルチトレイ装置の上記中継装置側を開閉可能に覆うマルチトレイカバーを有し、
上記中継装置は、水平方向に延びる軸線回りに回動可能に構成されて該中継装置の上側を開閉可能に覆う中継装置カバーを有しており、
上記マルチトレイカバーの下端部における上記中継装置側の縁部、又は上記中継装置カバーの上面部における上記マルチトレイ装置側の縁部には、当該縁部を面取りした形状からなる傾斜面部が形成され、
上記傾斜面部は、上記マルチトレイカバーが開いた状態で上記中継装置カバーを開いた場合において、該中継装置カバーの上面部がマルチトレイカバーの下端部にぶつかったときに、該マルチトレイカバーを閉じる向きの分力を生じさせるように形成されている、画像形成装置。
【請求項２】
請求項１記載の画像形成装置において、
上記傾斜面部は、上記マルチトレイカバーの下端部における上記中継装置側の縁部に形成され、
上記傾斜面部の面取り量は、上記マルチトレイカバーの回動軸線に遠い側から近い側に向かって大きくなる、画像形成装置。
【請求項３】
請求項１記載の画像形成装置において、
上記傾斜面部は、上記中継装置カバーの上面部における上記マルチトレイ装置側の縁部に形成され、
上記傾斜面部の面取り量は、上記中継装置カバーの回動軸線に遠い側から近い側に向かって小さくなる、画像形成装置。
【請求項４】
請求項１乃至３のいずれか一項に記載の画像形成装置において、
上記中継装置カバーは、該中継装置カバーを開いた状態から手を離すと、自重により、上記水平方向に延びる軸線回りに下側に回動して閉状態になるように構成されている、画像形成装置。
【発明の詳細な説明】
【技術分野】
【０００１】
本発明は画像形成装置に関する。
【背景技術】
【０００２】
従来より、画像形成装置本体より排出される用紙を仕分けるマルチトレイ装置を備えた画像形成装置は知られている（例えば、特許文献１参照）。このマルチトレイ装置は、ユーザーによっていずれかを選択することが可能な複数段の排紙トレイと、上下方向に延びると共に各排紙トレイの基端部が接続される排紙搬送路と、排紙搬送路を内部に収容すると共に画像形成装置本体の側面に取付けられるケース部とを有している。このケース部内には、用紙の搬送先を排紙搬送路と排紙トレイとの間で切換える切換え機構等が収容されている。ケース部における画像形成装置本体側の面には開閉カバーが取付けられている。開閉カバーは、上下方向に延びる軸線回りに回動することで開閉可能になっている。ユーザーがこの開閉カバーを開くことで排紙搬送路内のジャム処理等を行えるようになっている。
【０００３】
上記画像形成装置として、画像形成装置本体の上側に排紙トレイ部を形成する場合がある。この場合、画像形成装置本体に形成された用紙をマルチトレイ装置へと搬送するための中継装置が使用される。中継装置は上記排紙トレイ部に着脱可能に載置される。中継装置は、画像形成装置本体の排紙口から水平に延びてマルチトレイ装置の給紙口に接続される中継搬送路と、該中継搬送路を内部に収容するケース部とを有している。ケース部の上側は、その後端部を支点として上下方向に回動する開閉カバーによって覆われている。ユーザーがこの開閉カバーの前端部を持ち上げて上側に回動させることで、中継装置内のジャム処理を行えるようになっている。
【先行技術文献】
【特許文献】
【０００４】
【特許文献１】特開２０１４−９４８３７号公報
【発明の概要】
【発明が解決しようとする課題】
【０００５】
しかしながら、上述のマルチトレイ装置と中継装置とを備えた画像形成装置では、マルチトレイ装置の開閉カバー（以下、マルチトレイカバー）を開いた状態で中継装置の開閉カバー（中継装置カバー）を上方に開くと、マルチトレイカバーの下端部に中継装置カバーの上面部がぶつかって、マルチトレイカバーが破損する虞がある。
【０００６】
本発明は、かかる点に鑑みてなされたものであり、その目的とするところは、マルチトレイカバーが開いた状態で中継装置カバーを開いた場合でも、マルチトレイカバーが簡単に破損しないようにすることにある。
【課題を解決するための手段】
【０００７】
本発明に係る画像形成装置は、上下方向に並ぶ複数の排紙トレイを有していて画像形成装置本体の側面に取付けられるマルチトレイ装置と、該画像形成装置本体の上側に配置され、該画像形成装置本体より排出される用紙を上記マルチトレイ装置へと搬送する中継装置とを備えている。
【０００８】
上記マルチトレイ装置は、上下方向に延びる軸線回りに回動可能に構成されて該マルチトレイ装置の上記中継装置側を開閉可能に覆うマルチトレイカバーを有し、上記中継装置は、水平方向に延びる軸線回りに回動可能に構成されて該中継装置の上側を開閉可能に覆う中継装置カバーを有しており、上記マルチトレイカバーの下端部における上記中継装置側の縁部、又は上記中継装置カバーの上面部における上記マルチトレイ装置側の縁部には、当該縁部を面取りした形状からなる傾斜面部が形成され、上記傾斜面部は、上記マルチトレイカバーが開いた状態で上記中継装置カバーを開いた場合において、該中継装置カバーの上面部がマルチトレイカバーの下端部にぶつかったときに、該マルチトレイカバーを閉じる向きの分力を生じさせるように形成されている。
【０００９】
この構成によれば、マルチトレイカバーの下端部に中継装置カバーの上面部が当接すると、傾斜面部によってマルチトレイカバーを閉じる向きの分力が生成される。この結果、マルチトレイカバーが該分力により閉側に回動して中継装置カバーの回動範囲よりも外側に逃がされる。したがって、マルチトレイカバーが中継装置カバーとぶつかって破損するのを防止することができる。
【００１０】
上記傾斜面部が上記マルチトレイカバーの下端部における上記中継装置側の縁部に形成されている場合には、上記傾斜面部の面取り量は、上記マルチトレイカバーの回動軸線に対して遠い側から近い側に向かって徐々に大きくなることが好ましい。上記傾斜面部が、上記中継装置カバーの上面部における上記マルチトレイ装置側の縁部に形成されている場合には、上記傾斜面部の面取り量は、上記中継装置カバーの回動軸線に対して遠い側から近い側に向かって徐々に小さくなることが好ましい。
【００１１】
この構成によれば、中継装置カバーを開こうとする力をマルチトレイカバーへとスムーズに伝達することができる。よって、マルチトレイカバーに中継装置カバーがぶつかった際に、マルチトレイカバーを中継装置カバーの回動範囲よりも外側にスムーズに逃がすことができる。よって、マルチトレイカバーが中継装置カバーとぶつかって破損するのをより一層確実に防止することができる。
【００１２】
上記中継装置カバーは、該中継装置カバーを開いた状態から手を離すと、自重により、上記水平方向に延びる軸線回りに下側に回動して閉状態になるように構成されていることが好ましい。
【００１３】
この構成によれば、中継装置カバーが開いた状態でマルチトレイカバーが開かれるのを未然に防止することができる。延いては、マルチトレイカバーが中継装置にぶつかって破損するのを確実に防止することができる。
【発明の効果】
【００１４】
本発明によれば、マルチトレイカバーが開いた状態で中継装置カバーを開いた場合に、マルチトレイカバーが中継装置カバーとぶつかって破損するのを防止することができる。
【図面の簡単な説明】
【００１５】
【図１】図１は、実施形態における画像形成装置の内部構造を示す概略図である。
【図２】図２は、マルチトレイカバーが開き且つ中継装置カバーが閉じた状態にある画像形成装置を示す前側の斜め右側から見た図である。
【図３】図３は、マルチトレイカバーが閉じ且つ中継装置カバーが開いた状態を示す図２相当図である。
【図４】図４は、マルチトレイカバーが開き且つ中継装置カバーが閉じた状態にある画像形成装置を示す平面図である。
【図５】図５は、マルチトレイカバーを示す斜視図である。
【図６】図６は、図２におけるマルチトレイカバーの下端部周辺を拡大して示す拡大図である。
【図７】図７は、実施形態２における画像形成装置の中継装置カバーを示す斜視図である。
【発明を実施するための形態】
【００１６】
以下、本発明の実施形態を図面に基づいて詳細に説明する。尚、本発明は、以下の実施形態に限定されるものではない。
【００１７】
《実施形態》
図１は、本実施形態における画像形成装置１の一例であるデジタル複写機を示している。以下の説明において、特に断らない限り、「前側」、「後側」は、画像形成装置１の前側、後側を意味し、「左側」「右側」は、画像形成装置１を前側から見たときの左側、右側を意味する。
【００１８】
上記画像形成装置１は、いわゆる胴内排紙型の複写機であって、画像形成装置本体１００とスキャナ筐体部２００と連結筐体部２５０とを有している。スキャナ筐体部２００は、画像形成装置本体１００よりも上側に配置されている。画像形成装置本体１００とスキャナ筐体部２００とは連結筐体部２５０を介して連結されている。画像形成装置本体１００とスキャナ筐体部２００との間には胴内排紙空間Ｓが形成されている。連結筐体部２５０は、画像形成装置本体１００の後端部に連結された後側連結筐体部２５０ａ（図４参照）と画像形成装置本体１００の右側端部に連結された右側連結筐体部２５０ｂとを有している。右側連結筐体部２５０ｂにおける胴内排紙空間Ｓに臨む立壁部２５５には、第１排紙口２５１と第２排紙口２５２とが上下に並んで形成されている。胴内排紙空間Ｓには中継装置３００が着脱可能になっている。中継装置３００は、第１排紙口２５１から排出される画像形成後の用紙Ｐを、マルチトレイ装置４００へと搬送する。マルチトレイ装置４００は、複数段の排紙トレイ４０４を有していて、画像形成装置本体１からのトレイ選択信号を基に、ユーザーが選択した排紙トレイに用紙Ｐを搬送する。
【００１９】
上記スキャナ筐体部２００の上面２００ａは、原稿カバー２０２によって開閉可能に覆われている。スキャナ筐体部２００内に収容された上記画像読取部２０１は、スキャナ筐体部２００の上面２００ａに載置された原稿を光学的に読み取ってその画像データを生成する。画像読取部２０１により生成された画像データは、不図示のデータ記憶部に記憶される。
【００２０】
上記画像形成装置本体１００は略直方体状に形成されており、上記画像形成部２０は、画像形成装置本体１００内の上部における右側寄りに配置されている。画像形成部２０の上側には定着部４０が設けられ、画像形成部２０の左側且つ下側には、給紙部１０が設けられている。給紙部１０は、用紙Ｐが収容される給紙カセット１０ａと、該給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して画像形成部２０に供給される。
【００２１】
画像形成部２０は、感光ドラム２１、帯電器２３、露光装置２５、現像装置２７、及び転写器２９を有している。画像形成部２０では、先ず、帯電器２３によって感光ドラム２１の周面を帯電させ、次いで、露光装置２５によって感光ドラム２１の表面に原稿画像データ（画像読取部２０１により生成された原稿画像の画像データ）に基づくレーザー光を照射することで静電潜像を形成し、形成した静電潜像を現像装置２７によって現像することでトナー像を形成し、その後、転写器２９によって給紙部１０から供給される用紙Ｐに対して上記トナー像を転写すると共に該転写後の用紙Ｐを定着部４０に供給する。尚、図中の符号２４は、感光ドラム２１の表面に残った残トナーを除去するクリーニング部である。
【００２２】
上記定着部４０では、画像形成部２０より供給される用紙Ｐを定着ローラー４０ａ及び加圧ローラー４０ｂ間で加圧及び加熱することにより、当該用紙Ｐにトナー像を定着させる。そして、定着部４０にてトナー像が定着された用紙Ｐは、両ローラー４０ａ，４０ｂにより上方に搬送される。用紙Ｐが搬送される搬送路は、定着部４０の上側において第１搬送路Ｔ１と第２搬送路Ｔ２とに分岐しており、定着ローラー４０ａ，４０ｂより送り出された用紙はこの第１搬送路Ｔ１又は第２搬送路Ｔ２に供給される。
【００２３】
第１搬送路Ｔ１は、定着部４０から上側に向かって左側に湾曲して上記第１排紙口２５１に接続されている。第１排出口２５１の下流側端部には第１排出ローラー対１２が設けられている。第２搬送路Ｔ２は、定着部４０から上側に向かって延びた後に左側に屈曲して上記第２排紙口２５２に接続されている。第２排出口２５２の下流側端部には第２排出ローラー対１３が設けられている。上記第２搬送路Ｔ２にはさらに、用紙Ｐに両面印刷を行う際に該用紙Ｐをスイッチバックさせて画像形成部２０に再供給するための両面印刷用搬送路Ｔ３が接続されている。
【００２４】
胴内排紙空間Ｓに中継装置３００が装着されていない状態では、第１排紙口２５１から排出された用紙Ｐは用紙トレイ１０１に受け取られる。尚、第２排紙口２５２は、用紙のスイッチバック搬送時等に使用される。一方、中継装置３００が胴内排紙空間Ｓに装着されている状態（図１に示す状態）では、第１排紙口２５１から排出された画像形成後の用紙Ｐは、中継装置３００内の中継搬送路Ｔ４に供給される。
【００２５】
中継装置３００は、胴内排紙空間Ｓの底壁部である用紙トレイ１０１上に装着される。中継装置３００は、全体視が略直方体状の本体ケース部３０３を有している。本体ケース部３０３の右側壁には、第１排紙口２５１に連通する給紙口３０１が形成され、左側壁にはマルチトレイ装置４００の給紙口４０３ａに連通する排紙口３０２が形成されている。中継装置３００内には上記中継搬送路Ｔ４が設けられている。中継搬送路Ｔ４は、４つの搬送ローラー対３０４により形成されていて、給紙口３０１から排紙口３０２に向かって略水平に延びている。
【００２６】
図２に示すように、本体ケース部３０３の上側壁は中継装置カバー３０５によって構成されている。中継装置カバー３０５は、下側に開放する略矩形箱状に形成されている。中継装置カバー３０５の上面には、上記第２排紙口２５２から排出される用紙Ｐを受け止める排紙トレイ部３０７が形成されている。排紙トレイ部３０７の右側端部は右側ほど下側に傾斜しており、これにより排紙トレイ部３０７に排出された用紙が該傾斜に沿って下側に移動して整列されるようになっている。
【００２７】
中継装置カバー３０５の後端部における左右方向の両端部は、左右方向（水平方向）に延びる支持軸（図示省略）を介して本体ケース部３０３の左右の側壁に支持されている。そして、中継装置カバー３０５は、閉状態（図２の状態）からその前端部を手で上側に持ち上げることで、上記支持軸（支持軸の軸線）回りに上側に回動して開状態（図３の状態）になる。中継装置カバー３０５を開状態にすることで、ユーザーは本体ケース部３０３内に手を入れてジャム紙の処理等を行うことができる。ユーザーが中継装置カバー３０５から手を離すと、中継装置カバー３０５は自重により、上記支持軸回りに下側に回動して閉状態（図２の状態）に戻る。
【００２８】
マルチトレイ装置４００は、汎用トレイ部４０１とマルチトレイ部４０２と本体ケース部４０３とを有している。本体ケース部４０３は、左右方向に厚み有する偏平状の直方体形状を有している。本体ケース部４０３の右側壁の下端部は、画像形成装置本体１００の左側面の上端部に固定されている。本体ケース部４０３の右側壁における下端部を除く部分は、略全体がマルチトレイカバー４０６によって構成されている。マルチトレイカバー４０６は、本体ケース部４０３の右側壁における画像形成装置本体１００よりも上側に位置する部分に設けられている。マルチトレイカバー４０６の詳細については後述する。
【００２９】
本体ケース部４０３内には、鉛直搬送路Ｔ５及び傾斜搬送路Ｔ６が設けられている（図１参照）。鉛直搬送路Ｔ５は、上下方向に延びると共に下端部が中継搬送路Ｔ４の下流側端に接続されている。鉛直搬送路Ｔ５には、マルチトレイ部４０２を構成する複数の排紙トレイ４０４の基端部が接続されている。傾斜搬送路Ｔ６は、中継搬送路Ｔ４の下流側端から左側に向かって下側に延びて汎用トレイ部４０１に接続されている。中継装置３００の排紙口３０２から排出された用紙は、不図示の搬送切換え部材よって鉛直搬送路Ｔ５及び傾斜搬送路Ｔ６のいずれか一方に供給される。鉛直搬送路Ｔ５に供給された用紙は、不図示の搬送切換え部材によって、ユーザーが選択した排紙トレイ４０４へと導かれる一方、傾斜搬送路Ｔ６に供給された用紙は汎用トレイ部４０１へと導かれる。
【００３０】
上記マルチトレイカバー４０６は、本体ケース部４０３の内方側に開放する矩形箱状に形成されている。マルチトレイカバー４０６は上下方向に長い形状をなしている。マルチトレイカバー４０６の後端部における上下方向の両端部は、上下方向（鉛直方向）に延びる支持軸４１０（図４参照）を介して本体ケース部４０３の上下の側壁に支持されている。マルチトレイカバー４０６の前端部にはコ字状の持手部４０７が取付けられている。マルチトレイカバー４０６は、閉状態から持手部４０７を右側に引くことで、上記支持軸４１０を支点として図５の反時計回り方向に回動して開状態（図４の状態）になる。マルチトレイカバー４０６を開き側に回動させて行くと、その開放角度が予め設定した最大開放角度に達したところでマルチトレイカバー４０６の外側面が排紙トレイ部３０７の角部に当接する。これにより、マルチトレイカバー４０６の開放角度が上記最大開放角度以下に制限される。マルチトレイカバー４０６を開状態にすることで、ユーザーが本体ケース部４０３内に手を入れてジャム処理等を行うことができる。マルチトレイカバー４０６を開いた状態で持手部４０７を左側に押すと、マルチトレイカバー４０６が支持軸４１０を支点として図４の時計回り方向に回動し、やがて閉状態に戻る。
【００３１】
図５及び図６に示すようにマルチトレイカバー４０６の下端部には傾斜面部４０８が形成されている。この傾斜面部４０８は、マルチトレイカバー４０６の下端部における画像形成装置本体１００側（本体ケース部４０３の外方側）の縁部を略４５°に面取りした形状からなる。換言すると、傾斜面部４０８は、マルチトレイカバー４０６を閉じた状態で右側ほど高くなるように略４５°で傾斜している。傾斜面部４０８の傾斜角度は、上記縁部に沿って一定である。傾斜面部４０８の面取り量Ｃ１は、上記縁部における回動軸線Ｘ１（支持軸４１０の軸線）に遠い側から近い側に向かうにしたがって徐々に大きくなっている。傾斜面部４０８は、マルチトレイカバー４０６を最大開放角度まで開いた状態で上側から見たときに、該マルチトレイカバー４０６が中継装置カバー３０５と重なる範囲にのみ形成されている。
【００３２】
ここで、図４を参照して、マルチトレイカバー４０６を開いた状態で中継装置カバー３０５を開いた場合について考える。この場合、マルチトレイカバー４０６の下端部に中継装置カバー３０５がぶつかってマルチトレイカバー４０６が破損する虞がある。これに対して本実施形態では、マルチトレイカバー４０６の下端部に傾斜面部４０８を形成するようにしたことで、このマルチトレイカバー４０６の破損を防止することができる。
【００３３】
すなわち、本実施形態では、マルチトレイカバー４０６を開いた状態で中継装置カバー３０５を上側に開くと、中継装置カバー３０５のマルチトレイカバー４０６側の縁部がマルチトレイカバー４０６の下端部に形成された傾斜面部４０８にぶつかる。中継装置カバー３０５をさらに開こうとすると、傾斜面部４０８においてマルチトレイカバー４０６を閉じる向きの分力が生じる。この結果、マルチトレイカバー４０６がこの分力により閉側に押されて中継装置カバー３０５の回動範囲よりも外側に逃がされる。したがって、マルチトレイカバー４０６が中継装置カバー３０５とぶつかって破損するのを防止することができる。
【００３４】
また本実施形態では、傾斜面部４０８の面取り量Ｃ１は、マルチトレイカバー４０６の回動軸線Ｘ１に遠い側から近い側に向かって徐々に大きくなっている。
【００３５】
これにより、中継装置カバー３０５を開こうとする力を傾斜面部４０８によりマルチトレイカバー４０６へとスムーズに伝達することができる。よって、マルチトレイカバー４０６に中継装置カバー３０５がぶつかった際に、傾斜面部４０８に生じる分力によってマルチトレイカバー４０６を中継装置カバー３０５の回動範囲よりも外側にスムーズに逃がすことができる。よって、マルチトレイカバー４０６が中継装置カバー３０５とぶつかって破損するのをより一層確実に防止することができる。
【００３６】
さらに本実施形態では、中継装置カバー３０５は、該中継装置カバー３０５を開いた状態から手を離すと、自重により、水平方向に延びる軸線回りに下側に回動して閉状態に戻るようになっている。
【００３７】
これにより、中継装置カバー３０５が開いた状態でマルチトレイカバー４０６が開かれるのを未然に防止することができる。延いては、中継装置カバー３０５にマルチトレイカバー４０６がぶつかって破損するのを防止することができる。
【００３８】
《実施形態２》
図７は、実施形態２における画像形成装置１の中継装置カバー３０５を示している。実施形態２は、マルチトレイカバー４０６に傾斜面部４０８を形成するのではなく、中継装置カバー３０５に傾斜面部（以下、第一傾斜面部という）３０９を形成するようにした点で上記実施形態１とは異なる。
【００３９】
上記第一傾斜面部３０９は、中継装置カバー３０５の上面部におけるマルチトレイカバー４０６側の縁部を略面取りした形状からなる。第一傾斜面部３０９の傾斜角度θは、当該縁部に沿って一定である。第一傾斜面部３０９の面取り量Ｃ２は、中継装置カバー３０５の回動軸線Ｘ２に遠い側から近い側に向かうほど(前側から後側に向かうほど)徐々に小さくなっている。すなわち、第一傾斜面部３０９は、上側から見て後側ほど先細りになる三角形状に形成されている。傾斜面部３０９は、上側から見て、マルチトレイカバー４０６の通過領域に対応する範囲にのみ形成されている。第一傾斜面部３０９の前側には、上側から見て矩形状をなす第二傾斜面部３１０が形成されている。第二傾斜面部３１０は、上側から見てマルチトレイカバー４０６の通過領域よりも外側に形成されている。したがって、第二傾斜面部３１０は必ずしも必要ではない。
【００４０】
排紙トレイ部３０７における第一傾斜面部３０９に隣接する側壁面３０８は、前側に向かって右側に傾斜している。この側壁面３０８は、マルチトレイカバー４０６の開放角度が最大開放角度になったときにマルチトレイカバー４０６の外側面に当接する。そうして、側壁面３０８は、マルチトレイカバー４０６の開放角度を最大開放角度以下に規制する。
【００４１】
本実施形態では、図４に示すようにマルチトレイカバー４０６を開いた状態で中継装置カバー３０５を開いた場合、中継装置カバー３０５に形成された第一傾斜面部３０９がマルチトレイカバー４０６の下端部に当接する。中継装置カバー３０５をさらに開こうとすると、この第一傾斜面部３０９によってマルチトレイカバー４０６を閉じる向きの分力が生成される。この結果、マルチトレイカバー４０６がこの分力により閉側に押されて中継装置カバー３０５の回動範囲よりも外側に逃がされる。したがって、上記実施形態１と同様に、マルチトレイカバー４０６が中継装置カバー３０５とぶつかって破損するのを防止することができる。
【００４２】
また本実施形態では、第一傾斜面部３０９は、中継装置カバー３０５の回動軸線Ｘ２に遠い側から近い側に向かうほど(前側から後側に向かうほど)徐々に小さくなっている。
【００４３】
これにより、中継装置カバー３０５を開こうとする力を第一傾斜面部３０９によりマルチトレイカバー４０６へとスムーズに伝達することができる。よって、マルチトレイカバー４０６に中継装置カバー３０５がぶつかった際に、マルチトレイカバー４０６を第一傾斜面部３０９からの分力によって中継装置カバー３０５の回動範囲よりも外側にスムーズに逃がすことができる。よって、上記実施形態１と同様に、マルチトレイカバー４０６が中継装置カバー３０５とぶつかって破損するのをより一層確実に防止することができる。
【００４４】
《他の実施形態》
上記実施形態では、画像形成装置１が複写機である例について説明したが、これに限ったものではなく、画像形成装置１は例えばプリンターや複合機等であってもよい。
【００４５】
また、上記実施形態１では、胴内排紙型の画像形成装置１を例に挙げて説明したが、これに限ったものではない。すなわち、例えば画像読取装置２００を廃止して画像形成装置本体１００の上側が外部に露出した構成にしてもよい。
【００４６】
また、本発明は上記各実施形態に限定されるものでなく、本発明には、上記各実施形態を適宜組み合わせた構成が含まれる。
【産業上の利用可能性】
【００４７】
以上説明したように、本発明は、画像形成装置について有用である。
【符号の説明】
【００４８】
Ｘ１   回動軸線
Ｘ２   回動軸線
Ｃ１   面取り量
Ｃ２   面取り量
１     画像形成装置
１００ 画像形成装置本体
３００ 中継装置
３０５ 中継装置カバー
３０９ 第一傾斜面部（傾斜面部）
４００ マルチトレイ装置
４０２ マルチトレイ部
４０４ 排紙トレイ
４０６ マルチトレイカバー
４０８ 傾斜面部
【図１】
0006047183.tif 000002
【図２】
0006047183.tif 000003
【図３】
0006047183.tif 000004
【図４】
0006047183.tif 000005
【図５】
0006047183.tif 000006
【図６】
0006047183.tif 000007
【図７】
0006047183.tif 000008